(57)【要約】【課題】平置き状態から傾斜姿勢への変更が容易であり、構造が簡単であり、原材料が少なくて足るクレヨンケースを提供することを課題とする。【解決手段】クレヨンケース１は、本体部２と、本体部２に被せられる蓋体部３により構成されている。本体部２は、底板１０と、底板１０に繋がる本体側周壁１１によって外郭が形成されている。本体部２の本体側周壁１１の短辺７，８に係合凹部３６が設けられている。クレヨン１００を使用する場合には、蓋体部３を本体部２から外して裏返し、本体部２の一部を蓋体部３の蓋体側凹状空間５２に入れ、係合凹部３６を蓋体部３の長辺５６に係合させる。その結果、本体部２の長辺５側が、蓋体側凹状空間５２からはみ出し、本体部２の短辺７，８側が蓋体部３の長辺５６に乗り上げて、傾斜姿勢となる。【選択図】  図９
2014057639.tif 000002
【特許請求の範囲】
【請求項１】
細長く成形され、その全周面が筆記面と成り得て、手で保持して絵画を描くことが可能なクレヨン等の画材を収納する画材ケースであって、
複数のクレヨン等が並列的に配列される本体部と、本体部に被せられる蓋体部により構成され、本体部に蓋体部を被せることによって内部にクレヨン等を収納する収納空間が形成される画材ケースにおいて、
本体部は、外周面側が底板及び本体側周壁によって囲まれ、底板と対向する面が開口していて内周面側に本体側凹状空間を構成し、
蓋体部は、外周面側が天板及び蓋体側周壁によって囲まれ、底板と対向する面が開口していて内周面側に蓋体側凹状空間を構成し、
本体部の底側及び／又は蓋体部の開口端側に係合凹部があり、
蓋体部を裏返して本体部の下に敷き、蓋体側凹状空間に本体部の底側の一部を入れると共に本体部又は蓋体部の前記係合凹部を蓋体部又は本体部に係合させた状態で、本体部を傾斜姿勢に保持することが可能であることを特徴とするクレヨン等の画材ケース。
【請求項２】
本体側凹状空間は、配列されるクレヨン等の長手方向に低床部領域と高床部領域があり、両者の間に段部壁又は傾斜壁があり、
収納されるクレヨン等は側面と端面があり、クレヨン等の側面は低床部と接し、クレヨン等の端面は段部壁又は傾斜壁に面し、前記高床部領域の本体側周壁に前記係合凹部が設けられ、
前記係合凹部を蓋体部の蓋体側周壁に係合させた状態で、本体部を傾斜姿勢に保持することが可能であることを特徴とする請求項１に記載のクレヨン等の画材ケース。
【請求項３】
本体部の平面形状は、対向する一組の長辺と対向する一組の短辺を有する長方形であり、蓋体部の平面形状も、対向する一組の長辺と対向する一組の短辺を有する長方形であり、本体側周壁の短辺に相当する部位に前記係合凹部があり、
当該係合凹部を蓋体側周壁の長辺に相当する部位に係合させた状態で、本体部を傾斜姿勢に保持することが可能であることを特徴とする請求項１又は２に記載のクレヨン等の画材ケース。
【請求項４】
本体側凹状空間に、各クレヨン等を保持する凹凸形状が形成されていることを特徴とする請求項１乃至３のいずれかに記載のクレヨン等の画材ケース。
【発明の詳細な説明】
【技術分野】
【０００１】
本発明は、クレヨン等を収納するケースに関するものである。本発明の画材ケースは、クレヨン等をセット販売する際に好適に使用されるものである。
【背景技術】
【０００２】
クレヨンは、直接手で持って絵を描くことができることから、幼児や学童が使用する画材として好適である。クレヨンに似た構造や使用方法の画材として、パステル、コンテ、クレパス（株式会社サクラクレパスの登録商標）、色チョークがある。
上記したクレヨン等は、多くの場合、１２色セットとか、２０色セットという様に複数の異なる色のものをセットにして販売されている。
またクレヨン等をセット販売する場合には、紙やプラスチックで作られたケースに収納された状態で販売される場合が多い。
即ちクレヨン等は、ケース内に並列的且つ密に並べられた状態でセット販売される。
【０００３】
前記した様に、クレヨン等は、ケース内に並列的且つ密に並べられた状態で収納されるから、取り出し難い。また机に平置きすると、配列された状態における全体像を観察しにくい。
そのため、クレヨン等のケースは、平置き状態から傾斜姿勢に姿勢変更できることが望ましい。
平置き状態から傾斜姿勢に変更することが可能なクレヨン等の画材ケースが、下記の特許文献に開示されている。
【先行技術文献】
【特許文献】
【０００４】
【特許文献１】実公昭３２−１２１０５号公報
【特許文献２】実公昭２７−１７０７号公報
【特許文献３】実公昭１２−１８９６１号公報
【特許文献４】実公昭１２−１０３２０号公報
【特許文献５】実公昭３３−１３７１５号公報
【発明の概要】
【発明が解決しようとする課題】
【０００５】
上記した各特許文献に開示されたクレヨン等の画材ケースは、いずれも平置き状態から傾斜姿勢に変更することができる。そのため使用時に配列された状態における全体像を観察しやすく、クレヨン等を選択し易い。またケースからクレヨン等を取り出し易い。
しかしながら、特許文献１乃至４に記載の画材ケースは、いずれも平置き状態から傾斜姿勢に変更する際に、箱を変形させる作業が必要であり、幼児にはこの作業が困難であるという問題がある。また特許文献５に記載の画材ケースは、構造が複雑であるという問題がある。
さらに上記した特許文献１，２，３，５に開示された画材ケースは、本体部と蓋部材以外に傾斜姿勢を維持するための部材があり、原材料が余計に必要であるという問題がある。
【０００６】
本発明は、従来技術の上記した問題点に注目し、平置き状態から傾斜姿勢への変更が容易であり、構造が簡単であり、原材料が少なくて足るクレヨン等の画材ケースを提供することを課題とするものである。
【課題を解決するための手段】
【０００７】
上記した課題を解決するための請求項１に記載の発明は、細長く成形され、その全周面が筆記面と成り得て、手で保持して絵画を描くことが可能なクレヨン等の画材を収納する画材ケースであって、複数のクレヨン等が並列的に配列される本体部と、本体部に被せられる蓋体部により構成され、本体部に蓋体部を被せることによって内部にクレヨン等を収納する収納空間が形成される画材ケースにおいて、本体部は、外周面側が底板及び本体側周壁によって囲まれ、底板と対向する面が開口していて内周面側に本体側凹状空間を構成し、蓋体部は、外周面側が天板及び蓋体側周壁によって囲まれ、底板と対向する面が開口していて内周面側に蓋体側凹状空間を構成し、本体部の底側及び／又は蓋体部の開口端側に係合凹部があり、蓋体部を裏返して本体部の下に敷き、蓋体側凹状空間に本体部の底側の一部を入れると共に本体部又は蓋体部の前記係合凹部を蓋体部又は本体部に係合させた状態で、本体部を傾斜姿勢に保持することが可能であることを特徴とするクレヨン等の画材ケースである。
【０００８】
ここで、「細長く成形され、その全周面が筆記面と成り得て、手で保持して絵画を描くことが可能なクレヨン等の画材」は、少なくとも、パステル、コンテ、クレパス（株式会社サクラクレパスの登録商標）、色チョークを含む概念である。なおこれらは「固形描画材」とも称される。
本発明のクレヨン等の画材ケースは、蓋体部を裏返して本体部の下に敷き、本体部を傾斜させる。また本発明のクレヨン等の画材ケースでは、本体部の底側及び／又は蓋体部の開口端側に係合凹部があり、この係合凹部を蓋体部又は本体部に係合させることによって、本体部を傾斜した姿勢に維持することができる。
本発明のクレヨン等の画材ケースは、蓋体部を裏返して本体部の下に敷くだけで、本体部を傾斜させることができるので、傾斜させるための作業が容易である。
さらに本発明のクレヨン等の画材ケースによると、傾斜姿勢における傾斜角度が低く、クレヨン等を収納する画材ケースとして好適である。
即ちクレヨン等は、その全周面が筆記面と成り得るものであり、いずれも折れやすいものである。そのためクレヨン等は、傾斜角度が高い状態の本体部からこぼれ落ちると、折れてしまうおそれがある。この観点から、クレヨン等の画材ケースの傾斜角度は、緩いものであることが望ましい。本発明のクレヨン等の画材ケースは、傾斜姿勢における傾斜角度が低いので、倒れにくく、クレヨン等に衝撃を与えにくいので、クレヨン等が折れる危険性を回避することができる。
またクレヨン等は、その全周面が筆記面と成り得て、手で保持して絵画を描くものであるから、その全長は鉛筆やボールペン等に比べて短い。そのためクレヨン等の画材ケースは、仮に平置き状態であったとしても邪魔にならない。そのためクレヨン等の画材ケースの本体部を傾斜姿勢に変更する意図は、専ら視認性の向上と、取り出し性の向上にある。この観点から、本体部の傾斜角度を高角度に傾斜する必要はない。
そのため、クレヨン等を収納する画材ケースは、傾斜姿勢における傾斜角度が緩いことが望ましく、本発明は、この要求を満足する。
【０００９】
請求項２に記載の発明は、本体側凹状空間は、配列されるクレヨン等の長手方向に低床部領域と高床部領域があり、両者の間に段部壁又は傾斜壁があり、収納されるクレヨン等は側面と端面があり、クレヨン等の側面は低床部と接し、クレヨン等の端面は段部壁又は傾斜壁に面し、前記高床部領域の本体側周壁に前記係合凹部が設けられ、前記係合凹部を蓋体部の蓋体側周壁に係合させた状態で、本体部を傾斜姿勢に保持することが可能であることを特徴とする請求項１に記載のクレヨン等の画材ケースである。
【００１０】
本発明のクレヨン等の画材ケースでは、本体部の本体側凹状空間は配置されるクレヨン等の長手方向に低床部領域と高床部領域に分かれている。逆に本体部を底側から見ると、高床部領域は凹んでいる部位と言える。
本発明の画材ケースでは高床部領域の本体側周壁に係合凹部が設けられているから、これを底側から見ると、凹んでいる部位の周壁に係合凹部があり、係合凹部の深さを深く設計することができる。そのため係合凹部の係合深さが深く、本体部を傾斜姿勢に変更した際の本体部の姿勢が安定する。
【００１１】
請求項３に記載の発明は、本体部の平面形状は、対向する一組の長辺と対向する一組の短辺を有する長方形であり、蓋体部の平面形状も、対向する一組の長辺と対向する一組の短辺を有する長方形であり、本体側周壁の短辺に相当する部位に前記係合凹部があり、当該係合凹部を蓋体側周壁の長辺に相当する部位に係合させた状態で、本体部を傾斜姿勢に保持することが可能であることを特徴とする請求項１又は２に記載のクレヨン等の画材ケースである。
【００１２】
本発明のクレヨン等の画材ケースにおいても、本体部を傾斜姿勢に変更した際の本体部の姿勢が安定する。
【００１３】
請求項４に記載の発明は、本体側凹状空間に、各クレヨン等を保持する凹凸形状が形成されていることを特徴とする請求項１乃至３のいずれかに記載のクレヨン等の画材ケースである。
【００１４】
本発明のクレヨン等の画材ケースは、各クレヨン等を保持する凹凸形状が形成されているから、クレヨン等が安定する。
【発明の効果】
【００１５】
本発明のクレヨン等の画材ケースは、平置き状態から傾斜姿勢への変更が容易であるという効果がある。そのため幼児でも本体部を容易に傾斜姿勢に変更することができる。また本発明のクレヨン等の画材ケースは、構造が簡単であり作りやすい。さらに本発明のクレヨン等の画材ケースは、原材料が少なくて足り、省資源に寄与する。また本発明のクレヨン等の画材ケースは、本体部を傾斜姿勢とした際の傾斜角度が低いので、倒れにくく、クレヨン等が折れる危険が少ない。また本体部を傾斜姿勢とした際の傾斜角度が低いので、クレヨン等が本体部からこぼれ落ちても、クレヨン等が折れることは少ない。
【図面の簡単な説明】
【００１６】
【図１】本発明の実施形態のクレヨンケースの斜視図であり、蓋体部によって本体部を閉じた状態を示す。
【図２】図１のクレヨンケースの斜視図であり、蓋体部を本体部から外した状態を示す。
【図３】図１のクレヨンケースの本体部の平面図である。
【図４】図１のクレヨンケースの本体部の側面図である。
【図５】図１のクレヨンケースの本体部の断面図である。
【図６】図１のクレヨンケースの本体部の前端部分を複数の部位で切断して観察した断面斜視図である。
【図７】図１のクレヨンケースの斜視図であり、本体部を傾斜姿勢とした状態を示す斜視図である。
【図８】図７の状態におけるクレヨンケースの前端部分を複数の部位で切断して観察した断面斜視図である。
【図９】図１のクレヨンケースにクレヨンを収納し、且つ本体部を傾斜姿勢とした状態を示す斜視図である。
【図１０】本発明の他の実施形態のクレヨンケースの斜視図である。
【図１１】クレヨンの斜視図である。
【発明を実施するための形態】
【００１７】
以下さらに本発明の実施形態について説明する。
本実施形態のクレヨンケース１は、図１１に示す様なクレヨン１００を並列的に並べて収納する画材ケースである。クレヨン１００は、周知の画材であり、顔料を蝋等で固めたものである。クレヨン１００は、外形形状が円柱状であり、先端側の端面１０１は、円錐状に成形されている。後端側の端面１０２は平坦である。クレヨン１００の側面１０３は、断面形状が円形であり、紙１０５が巻かれている。
本実施形態のクレヨンケース１は、各図の様に本体部２と、本体部２に被せられる蓋体部３により構成されている。
【００１８】
本体部２は、樹脂を射出成形して作られた筐体である。後記する本体部２の各部位は、いずれも薄い壁によって構成されており、筐体を構成する各壁の内面側の形状と、裏面たる外面側の形状は近似している。
本体部２は、図２、図３の様に、平面形状が長方形である。即ち本体部２の平面形状は、対向する一組の長辺５，６と対向する一組の短辺７，８を有する長方形である。ただし、短辺７，８の長さは、長辺５，６間の距離に比べてやや長く、短辺７，８の長辺６寄りの部位が丸く突出している。説明の便宜上、収納されるクレヨン１００の配置方向に合わせて、長辺５を前端側長辺５と称し、長辺６を後端側長辺６と称する場合がある。
また作図の関係上、各図の方向が一致しないので、参考のために各図に「前」「後」の文字を入れている。
【００１９】
本体部２を立体的に観察すると、底板１０と、底板１０に繋がる本体側周壁１１によって外郭が形成されている。そして底板１０と対向する上面側が開口していて内周面側に本体側凹状空間１２を構成している。即ち本体部２は、底板１０を有すると共に、一組の長辺５，６及び一組の短辺７，８を構成する本体側周壁１１を備え、上部側が開口する筐体である。
【００２０】
次に本体部２の内部形状、即ち本体側凹状空間１２の形状について説明する。本体側凹状空間１２は、図２、図３の様に底板１０の内側表面と、本体側周壁１１の内側表面によって区切られる空間である。本体側凹状空間１２は、短辺７，８の長手方向に、低床部領域１５と高床部領域１６に分かれている。なお後記する様に、クレヨン１００は、短辺７，８と平行に配列されるから、本体側凹状空間１２の中は、クレヨン１００の長手方向に低床部領域１５と高床部領域１６に分かれていると言える。
【００２１】
図３の様に、低床部領域１５は、本体側凹状空間１２の大半の面積を占めるものであり、その床面１９はさらに先端側平坦領域２０と、波打ち領域２１と、後端側平坦領域２２とに分かれている。
先端側平坦領域２０は、高床部領域１６に繋がる部位であり、表面が平滑である。
なお、先端側平坦領域２０の裏面側は、本体部２の底面を構成している。即ち本体部２を平置きすると、先端側平坦領域２０の裏面側が接地する。
【００２２】
波打ち領域２１は、表面が凹凸状に波打っている。低床部領域１５の波打ち形状は、クレヨン１００の外周面と略合致し、クレヨン１００を保持する機能を備えている。
波打ち領域２１は、先端側平坦領域２０及び後端側平坦領域２２に対してやや嵩上げされた位置にある。
なお、波打ち領域２１の裏面側についても、前記した先端側平坦領域２０の裏面側に比べて上部にある。従って、本体部２を平置きしても、先端側平坦領域２０の裏面側は接地しない。
【００２３】
後端側平坦領域２２は、波打ち領域２１と本体側周壁１１の後端側長辺６部分とを繋ぐ部位であり、表面が平滑である。
なお後端側平坦領域２２の裏面側は、本体部２の底面を構成している。即ち本体部２を平置きすると、後端側平坦領域２２の裏面側が接地する。
【００２４】
高床部領域１６は、前記した低床部領域１５に対して上方に隆起した部位である。高床部領域１６は、さらに高原領域１７と、接続領域１８に分かれている。
高原領域１７は、本体側周壁１１の前端側長辺５部分に繋がる領域であり、その床面２５は、平坦である。高原領域１７は、配置されているクレヨン１００の色見本を貼ったり、「あか」「もも」といった色の名を記載することができる。もちろん、高原領域１７は、樹脂そのものが露出していて何の加工もなされないものであってもよい。
接続領域１８は、略垂直姿勢の段壁部２８と、段壁部２８と低床部領域１５をなだらかに繋ぐ傾斜壁部３０を有している。
【００２５】
高床部領域１６は、前記した様に薄い壁によって構成されているから、高床部領域１６の裏面側は逆に凹部２７となっている（図５、図６）。従って、本体部２を平置きしても、高床部領域１６の裏面側は接地しない。
【００２６】
次に、本体部２の底面及び外周面について説明する。本実施形態のクレヨンケース１は、前記した様に、底板１０と、底板１０に繋がる本体側周壁１１によって外郭が形成されており、本体部２の外郭形状は、底板１０の外側表面と、本体側周壁１１の外側表面によって構成されている。
【００２７】
本体部２の底面は、底板１０の裏面側そのものであり、前記した本体側凹状空間１２の凹凸形状を反転した形状である。
従って本体部２の底面は、図５の様に、前端側長辺５の下端、後端側長辺６の下端及び、低床部領域１５の先端側平坦領域２０の裏面と後端側平坦領域２２の裏面が接地面となる。また高床部領域１６の裏面側は、凹部２７となっている。また低床部領域１５の波打ち領域２１の裏面側も、接地しない。
【００２８】
一方、底板１０の一部が本体側周壁１１の端部から離れた位置に繋がっているため、本体部２の外周面の形状は、本体側凹状空間１２の形状とは一致しない。
即ち本体部２の外周面は、略一定の高さの壁面で囲まれている。
ただし、短辺７，８を構成する壁面は、図４、図６の様にそれぞれ２か所に凹部３５，３６が形成されている。
一つの凹部３５は、短辺７，８の長手方向中央であって、上下方向には下端の位置にあり、大きな円弧を描く切り欠き形状である。
【００２９】
他の一つは、係合凹部３６であり、短辺７，８の長手方向については、高床部領域１６であり、上下方向には本体側周壁１１の下端の位置にある。係合凹部３６の形状は、半円状であり、その直径は小さい。即ち係合凹部３６の形状は、開口部の長さが５ｍｍ程度、深さが４ｍｍ程度の小さな切り欠きである。係合凹部３６の大きさは、少なくとも後記する蓋体側周壁５１が入る大きさであり、且つ蓋体側周壁５１が大きく動き得ない程度の大きさである。従って係合凹部３６の突端は、尖っているか、円弧状であるか、あるいは蓋体側周壁５１が辛うじて入る程度の隙間であることが望ましい。
【００３０】
前記した様に、高床部領域１６の裏面側は凹部２７となっているから、短辺７，８に設けられた係合凹部３６の対向領域には障害物はない。即ち係合凹部３６は、本体部２の裏面側に形成された凹部２７の空間と、外側とを繋ぐものであり、短辺７，８に設けられた係合凹部３６の見通し空間には障害物はない。
【００３１】
次に蓋体部３について説明する。蓋体部３を立体的に観察すると、天板５０と、天板５０に繋がる蓋体側周壁５１によって外郭が形成されている。そして天板５０と対向する下面側が開口していて内周面側に蓋体側凹状空間５２を構成している。即ち蓋体部３は、天板５０を有すると共に、対向する一組の長辺５５，５６及び、一組の短辺５７，５８を構成する蓋体側周壁５１を備え、下部側が開口する筐体である。
蓋体部３の平面形状は、長辺５５，５６と、短辺５７，５８を有する長方形である。蓋体部３の長方形を構成する長辺５５，５６及び短辺５７，５８は、いずれも本体部２の長辺５，６及び短辺７，８よりも長い。即ち蓋体部３の平面形状は、本体部２の平面形状よりも一回り大きい。
【００３２】
蓋体部３を構成する各壁は、いずれも薄く且つ平坦である。従って、蓋体部３は、直方体であって、下面側が開口する単純な筐体である。
【００３３】
次にクレヨンケース１の機能について説明する。前記した様にクレヨンケース１は、クレヨン１００を並列的に並べて収納する画材ケースであり、クレヨン１００は、図９の様に本体部２の本体側凹状空間１２であって、低床部領域１５に並列的に配される。
本実施形態では、クレヨン１００の側面１０３が、波打ち領域２１と接し、クレヨン１００が波打ち形状で保持されて転がることが防止される。
クレヨン１００の先端側の端面１０１は、高床部領域１６の段壁部（段部壁）２８に面している。
【００３４】
クレヨン１００を運搬する際には、図１の様に本体部２に蓋体部３が被せられる。前記した様に、蓋体部３の平面形状は、本体部２の平面形状よりも一回り大きく、蓋体部３の各壁は、本体部２の外側を覆う。そして本体部２の開口面は、蓋体部３の天板５０によって閉塞され、内部に収納空間６０が形成される。
【００３５】
次に、クレヨン１００を使用する場合や、クレヨンケース１の中が見える状態で展示する場合の態様について説明する。
クレヨン１００を使用する場合等では、蓋体部３を本体部２から外して裏返す。即ち天板５０を机上に接地して、開放部を上方に向ける。
この状態で、本体部２の一部を蓋体部３の蓋体側凹状空間５２に入れる。即ち蓋体部３を裏返して本体部２の下に敷き、蓋体側凹状空間５２に本体部２の底側の一部を入れる。またこれと共に、本体部２の係合凹部３６を蓋体部３のいずれかの長辺５５，５６に係合させる。例えば、後端側長辺６の側を蓋体部３の長辺５５側に配置し、本体部２の短辺７，８に設けられた係合凹部３６を蓋体部３の長辺５６に係合させる。
【００３６】
この際の本体部２の姿勢は、図７、図９の通りであり、本体部２の前端側長辺５側が、蓋体側凹状空間５２からはみ出し、本体部２の短辺７，８側が蓋体部３の長辺５６に乗り上げて、傾斜姿勢となる。
また本体部２の係合凹部３６が蓋体部３の長辺５６と係合しているので、使用者が本体部２や本体部２に収容されたクレヨン１００に触れても、本体部２は移動せず、傾斜姿勢を保つ。
そのため、使用者は、クレヨン１００を容易に取り出すことができる。
また本体部２が傾斜姿勢であるから、中を見やすく、必要な色のクレヨン１００を瞬時に見つけ出すことができる。
また本体部２が傾斜姿勢であれば、クレヨン１００が使用して短くなった場合に、傾斜の下側たる後端側長辺６の近傍にクレヨン１００が集まりやすく、クレヨン１００を取り出しやすい。本実施形態では、本体部２の傾斜姿勢が低いので、クレヨン１００が滑り落ちることは少ないが、短いクレヨン１００を傾斜姿勢の本体部２に入れると、クレヨン１００が下側に集まりやすく、取り出しやすい。また本実施形態のクレヨンケース１は、短いクレヨン１００を一方の辺側に集めやすいものであると言える。
【００３７】
本実施形態のクレヨンケース１は、単に蓋体部３を裏返して本体部２の下に敷くだけで、本体部２を傾斜姿勢にすることができるので、幼児でも間違えることなく、本体部２を傾斜姿勢に変更することができる。また傾斜角度が低いので、本体部２が倒れることは無い。
【００３８】
以上説明した実施形態では、本体部２側に係合凹部３６を設けたが、蓋体部３側に係合凹部７０を設けてもよい。
図１０は、蓋体部３側に係合凹部７０を設けた実施形態を示すものであり、蓋体部３の長辺５５、５６の一方又は双方に係合凹部７０が設けられている。なお係合凹部７０は、一つの長辺５５、５６の一方又は双方に２個設ける。そして本体部２の短辺７，８を係合凹部７０に係合させて、本体部２の傾斜姿勢を保つ。
【符号の説明】
【００３９】
１  クレヨンケース
２  本体部
３  蓋体部
５，６  長辺
７，８  短辺
１０  底板
１１  本体側周壁
１２  本体側凹状空間
１５  低床部領域
１６  高床部領域
２１  波打ち領域
３６  係合凹部
７０  係合凹部
１００  クレヨン
【図１】
2014057639.tif 000003
【図２】
2014057639.tif 000004
【図３】
2014057639.tif 000005
【図４】
2014057639.tif 000006
【図５】
2014057639.tif 000007
【図６】
2014057639.tif 000008
【図７】
2014057639.tif 000009
【図８】
2014057639.tif 000010
【図９】
2014057639.tif 000011
【図１０】
2014057639.tif 000012
【図１１】
2014057639.tif 000013